(57)【要約】【課題】利用者の健康状態を効果的に認識させる。【解決手段】  現在の体の状態に関する情報、生活スタイルに関する情報、及び環境要因に関する情報、肌を撮影した肌画像、予測すべき期間をＰＣ１１から入力する。サーバ１２は、入力された情報・画像に基づいて、利用者の健康状態・体年齢・肌年齢・体型を推定するとともに、改善策を特定する。また、予測すべき期間後の利用者の健康状態・体年齢・肌年齢・体型を推定する。これら推定結果、改善策、予測結果がモニタ１５に表示されるとともに、推定された体型と、予測された体型の各全身画像が作成されて表示される。【選択図】図１
2008242963.tif 000002
【特許請求の範囲】
【請求項１】
現在の体の状態に関する情報、生活スタイルに関する情報、及び環境要因に関する情報と、身体の一部の画像または全身の画像とを入力情報として入力する入力ステップと、
前記入力された入力情報に基づいて、現在の体の状態を推定する分析ステップと、
予測すべき期間が指定され、前記推定の結果を基礎にして、指定された期間後の体の状態を予測する予測ステップと、
前記予測された体の状態と入力された画像とに基づいて、指定された期間後に予測される身体の一部または全身の予測画像を作成する予測画像作成ステップと、
前記推定された現在の体の状態と、前記予測された体の状態と、前記予測画像作成手段で作成された予測画像とを表示する表示ステップとを備えたことを特徴とする健康分析表示方法。
【請求項２】
前記予測された体の状態を理想状態に近づけるために必要な条件を入力情報から判断し、その判断結果を実現するための改善策を特定する改善策特定ステップを備え、
前記表示ステップでは、さらに前記改善策特定ステップによって特定された改善策を表示することを特徴とする請求項１記載の健康分析表示方法。
【請求項３】
前記改善策特定ステップは、改善策として、食事で摂取すべきカロリーと栄養素、機能性成分と、運動で消費すべきカロリーと生活習慣と体の状態に応じた運動方法と、改善すべき生活習慣とを特定することを特徴とする請求項２記載の健康分析表示方法。
【請求項４】
前記入力ステップでは、身体の一部の画像または全身の画像として肌部分を含む画像が入力され、前記予測画像作成ステップは、入力される画像から得られる肌の特徴量と前記予測された体の状態に基づいて、指定された期間後に予測される肌の状態に応じた肌画像を求めることを特徴とする請求項１ないし３のいずれか１項に記載の健康分析表示方法。
【請求項５】
前記予測画像作成ステップでは、前記予測された体の状態と前記予測された肌の状態ととから、指定された期間後に予測される肌状態と体型を有する全身画像を作成することを特徴とする請求項４記載の健康分析表示方法。
【請求項６】
前記体の状態は、健康状態と、体年齢と、肌年齢と、体型とを含むことを特徴とする請求項１ないし５のいずれか１項に記載の健康分析表示方法。
【請求項７】
前記予測ステップは、前記改善策特定ステップによって特定された改善策を実施した場合における指定された期間後の体の状態を予測することを特徴とする請求項２記載の健康分析表示方法。
【請求項８】
現在の体の状態に関する情報、生活スタイルに関する情報、及び環境要因に関する情報を入力情報として入力する情報入力手段と、
身体の一部の画像または全身画像を入力する画像入力手段と、
前記入力された入力情報及び画像に基づいて、現在の体の状態を推定する分析手段と、
体の状態の予測すべき期間を指定する指定手段と、
前記分析手段による推定結果を基礎にして、指定された期間後の体の状態を予測する予測手段と、
前記予測手段で予測された体の状態と入力された画像とに基づいて、指定された期間後に予測される身体の一部のまたは全身の状態の予測画像を作成する予測画像作成手段と、
前記分析手段によって推定された現在の体の状態と、前記予測手段で予測された体の状態と、前記予測画像作成手段で作成された予測画像とを表示する表示手段とを備えたことを特徴とする健康分析表示装置。
【発明の詳細な説明】
【技術分野】
【０００１】
本発明は、利用者の健康態等を把握させ改善させることができる健康分析表示方法及び装置に関するものである。
【背景技術】
【０００２】
入力された個人の健康に関する情報（例えば身長、体重、年齢、性別等）や、生活スタイルに関する情報（例えば食事や睡眠時間、仕事等）に基づいて、現在の健康状態や、将来に予測される健康状態、疾患あるいはリスク等を表示する健康管理システムが知られている（例えば特許文献１）。また、この特許文献１では、過去の食事内容、日常生活のデータより食事工夫や運動不足解消等のアドバイスを表示し、さらには改善目標を設定し、目標達成の程度を例えば花の状態で擬似的に表示する等して目標達成意識を高めるようにしている。また、皮膚表面を撮影し、その皮膚表面をモニタに拡大して表示するとともに、撮影した肌画像を解析することにより肌年齢を算出する方法が提案されている（特許文献２参照）。
【特許文献１】特開平１１−４７０９６号公報
【特許文献２】特開２００２−１８２００５号公報
【発明の開示】
【発明が解決しようとする課題】
【０００３】
ところで、上記のように、健康状態、疾患あるいはリスクの予測等を表示したり、目標達成の程度を擬似的に表示したりすることは、目標達成の意識を高めることにある程度の効果があるものの、利用者自身の現状や将来の健康状態を認識させて改善意欲を十分に高めることは難しいといった問題があった。
【０００４】
本発明は上記問題を解消するためになされたもので、利用者の健康に対する意識をより向上させ、健康状態の改善を期待できるようにした健康分析表示方法及び装置を提供することを目的とする。
【課題を解決するための手段】
【０００５】
請求項１記載の健康分析表示方法では、現在の体の状態に関する情報、生活スタイルに関する情報、及び環境要因に関する情報と、身体の一部の画像または全身の画像とを入力情報として入力する入力ステップと、前記入力された入力情報に基づいて、現在の体の状態を推定する分析ステップと、予測すべき期間が指定され、前記推定の結果を基礎にして、指定された期間後の体の状態を予測する予測ステップと、前記予測された体の状態と入力された画像とに基づいて、指定された期間後に予測される身体の一部または全身の予測画像を作成する予測画像作成ステップと、前記推定された現在の体の状態と、前記予測された体の状態と、前記予測画像作成手段で作成された予測画像とを表示する表示ステップとを備えたものである。
【０００６】
請求項２記載の健康分析表示方法では、予測された体の状態を理想状態に近づけるために必要な条件を入力情報から判断し、その判断結果を実現するための改善策を特定する改善策特定ステップを備え、表示ステップでは、さらに前記改善策特定ステップによって特定された改善策を表示するようにしたものである。
【０００７】
請求項３記載の健康分析表示方法では、改善策特定ステップを、改善策として、食事で摂取すべきカロリーと栄養素、機能性成分と、運動で消費すべきカロリーと生活習慣と体の状態に応じた運動方法と、改善すべき生活習慣とを特定するようにしたものである。
【０００８】
請求項４記載の健康分析表示方法では、入力ステップでは、身体の一部の画像または全身の画像として肌部分を含む画像が入力され、予測画像作成ステップを、入力される画像から得られる肌の特徴量と前記予測された体の状態に基づいて、指定された期間後に予測される肌の状態に応じた肌画像を求めるようにしたものである。
【０００９】
請求項５記載の健康分析表示方法では、予測画像作成ステップでは、予測された体の状態と前記予測された肌の状態ととから、指定された期間後に予測される肌状態と体型を有する全身画像を作成するようにしたものである。
【００１０】
請求項６記載の健康分析表示方法では、体の状態を、健康状態と、体年齢と、肌年齢と、体型としたものである。また、請求項７記載の健康分析表示方法では、予測ステップを、改善策特定ステップによって特定された改善策を実施した場合における指定された期間後の体の状態を予測するようにしたものである。
【００１１】
請求項８記載の健康分析表示装置では、現在の体の状態に関する情報、生活スタイルに関する情報、及び環境要因に関する情報を入力情報として入力する情報入力手段と、身体の一部の画像または全身画像を入力する画像入力手段と、前記入力された入力情報及び画像に基づいて、現在の体の状態を推定する分析手段と、体の状態の予測すべき期間を指定する指定手段と、前記分析手段による推定結果を基礎にして、指定された期間後の体の状態を予測する予測手段と、前記予測手段で予測された体の状態と入力された画像とに基づいて、指定された期間後に予測される身体の一部のまたは全身の状態の予測画像を作成する予測画像作成手段と、前記分析手段によって推定された現在の体の状態と、前記予測手段で予測された体の状態と、前記予測画像作成手段で作成された予測画像とを表示する表示手段とを備えたものである。
【発明の効果】
【００１２】
現在の体の状態に関する情報、生活スタイルに関する情報、及び環境要因に関する情報と、身体の一部の画像または全身の画像とを入力し、これらに基づいて現在の体の状態と、指定された期間後の体の状態を予測し、その結果とともに、予測された体の状態に基づく予測画像を表示する表示するようにしたから、将来の状態を視覚的に認識することができるため、利用者に効果的に健康に対する意識を高めることができる。
【発明を実施するための最良の形態】
【００１３】
図１に本発明を実施した健康分析表示システム１０を示す。この健康分析表示システム１０では、パーソナルコンピュータ（以下、ＰＣと略す）１１を用いて情報の入力を行ってサーバ１２で分析等を行い、その結果をＰＣ１１に表示するようになっている。
【００１４】
ＰＣ１１は、キーボード１３，マウス１４と、モニタ１５とを備えている。このＰＣ１１には、ＰＣ１１を動作させるための各種プログラムやデータの他に、健康分析のための各種情報の入力、サーバ１２による分析結果等の表示を行うためのアプリケーションプログラムが記憶されている。なお、ＷＥＢページを参照する汎用的なブラウザソフトウエアを利用して、入力画面の表示や分析結果等の表示を行うようにしてもよい。
【００１５】
キーボード１３，マウス１４の操作により、現在の体の状態に関する情報、生活スタイルに関する情報、及び環境要因に関する情報（以下、これらを総称して基礎情報という）を入力する。利用者の現在の体の状態に関する情報としては、例えば性別，身長，年齢，体重，ウエストサイズ，ヒップサイズ，血圧等がある。また、生活スタイルに関する情報としては、食事の内容、好きな食べ物、嫌いな食べ物、甘いものの好き嫌い、飲酒の頻度や飲酒量、喫煙の有無や本数、毎日の徒歩時間、食事の時間、就寝時間や睡眠時間、夕食から就寝までの時間、運動の有無や種類，時間等がある。さらに、環境要因に関する情報としては、仕事の内容、通勤時間、血縁者の健康状態、生活地域等がある。また、キーボード１３，マウス１４の操作により、将来の健康状態等の予測すべき期間を例えば１年単位で指定することができる。
【００１６】
モニタ１５には、上記基礎情報を入力するための入力画面が表示される他、基礎情報等に基づいてサーバ１２で分析された分析結果や将来の予測結果等が表示される。分析結果、予測結果等を表示・出力する手法としては、モニタ表示に限るものではなく、プリントしてもよい。
【００１７】
ＰＣ１１には、画像入力手段として、例えばデジタルカメラ１６が接続される。デジタルカメラ１６では、利用者の任意の肌部分を撮影して肌画像を作成しておき、ＰＣ１１に取り込む。画像入力手段としては、デジタルカメラに限るものではなく、例えば予め撮影しおいた肌画像をＵＳＢメモリやメモリカードに記憶させておき、それをＰＣ１１に取り込むようにしてもよい。また、静止画に限らず、動画等を入力するようにしてもよい。
【００１８】
ＰＣ１１とサーバ１２とは、ＬＡＮ，インターネット，電話回線等により接続してあり、相互にデータの授受を行う。サーバ１２には、複数のＰＣ１１を接続することができる。サーバ１２は、ＣＰＵ２１や各種データベースを構成するハードディスク２２等から構成される。ＣＰＵ２１は、所定のプログラムを実行することにより、分析手段２３，改善策特定手段２４，予測手段２５，予測画像作成手段２６として機能する。ハードディスク２２には、個人データベース２７，状態データベース２８，肌年齢データベース２９，体型データベース３０が作成されている。
【００１９】
ＰＣ１１からの基礎情報と肌画像は、ＣＰＵ２１によって、個人データベース２７に登録される。この個人データベース２７には、ＰＣ１１からの基礎情報と肌画像の他に、後述する推定結果、改善策、予測結果が利用者ごと、利用ごとに分類されて登録され管理される。
【００２０】
状態データベース２８には、入力された基礎情報に基づいて、内臓脂肪の付き方，血管年齢、体型や各種疾患にかかっている可能性や罹患する可能性等の体の健康状態や、体年齢を推定するためのデータが登録されている。
【００２１】
肌年齢データベース２９には、肌画像から肌年齢を推定するためのデータと、推定された肌の状態を肌画像とし再現するために必要なデータが登録されている。例えば、肌画像から肌年齢を推定するためのデータとしては皮溝密度（キメ）等を数値化した特徴量が、肌の状態を再現するデータとしては標準的な肌の凹凸を表現する法線マップがそれぞれ年齢別に登録されている。体型データベース２９には、様々な体型を画像で表現するための体型モデルデータが登録されており、３Ｄの全身画像を作成する際に用いられる。
【００２２】
分析手段２３は、利用者の現在の体の状態を推定する。体の状態としては、上述のような健康状態、体年齢、肌年齢、体型がある。分析手段２３は、基礎情報と状態データベース２８とから利用者の健康状態を推定する。この推定の際には、例えば入力された現在の体の状態に関する情報を要素として状態データベース２８から基準となる健康状態を推定し、この推定した基準の健康状態を、生活スタイルに関する情報と環境要因に関する情報を要素として状態データベース２８から算出した補正値で補正することによって算出する。体年齢、体型の推定についても健康状態と同様に、基礎情報に基づいて状態データベースに登録されているデータを参照して推定する。
【００２３】
また、分析手段２３は、肌画像に基づいて肌年齢を推定する。この肌年齢については、入力される肌画像を解析して特徴量を求め、この特徴量に最も近い肌年齢データベース２９上の特徴量の年齢を肌年齢とする。
【００２４】
分析手段２３は、健康状態，体年齢，体型の推定結果は、その推定の基礎となった情報とともにデータ加工されて状態データベース２８にフィードバックする。例えば登録後に状態データベース２８の各データの相関性に関するパラメータを更新させることにより、状態データベース２８を学習させて推定精度を向上させる。同様に推定した肌年齢や特徴量、所定の基礎情報とともに肌年齢データベース２９にフィードバックし、肌年齢データベース２９を学習させて推定精度を向上させる。
【００２５】
改善策特定手段２４は、推定された利用者の体の状態を理想状態に近づけるために必要な条件を推定された体の状態と入力された基礎情報とに基づいて判断し、その判断結果を実現するための具体的な改善策、例えば食事で摂取すべきカロリーと栄養素、機能性成分と、運動で消費すべきカロリーと生活習慣と体の状態に応じた運動方法と、改善すべき生活習慣とを特定する。理想状態としては、基礎情報として入力される利用者の年齢において理想とする健康状態と、その年齢と同じ体年齢等が用いられる。
【００２６】
予測手段２５は、指定された期間後の将来の健康状態，体年齢，肌年齢，体型を予測する。この予測の際には、分析手段２３で推定された現在の利用者の健康状態と体年齢と肌年齢を起点に、基礎情報として入力された生活スタイル、環境要因下で生活した場合の１年ごとの健康状態，体年齢，肌年齢の変化量を求めて更新する処理を、指定された期間分を行うことで行う。また、予測手段２５は、予測された健康状態，体年齢に基づいて、指定期間後の利用者の体型を予測する。
【００２７】
予測画像作成手段２６は、予測手段２５によって予測された肌年齢に対応する肌の法線マップを肌年齢データベース２９から選出するとともに、予測された体型の体型モデルデータを体型データベース３０から選出し、法線マップと体型モデルデータとを合成したものにレンダリングを施すことで、予測された肌年齢の肌状態と体型の３Ｄの全身画像を作成する。また、予測画像作成手段２６は、体型の変化を示すために、分析手段２３で推定された体型と肌年齢とに基づいて、利用者の現在の肌年齢の肌状態と体型の３Ｄの全身画像をも同様に作成する。
【００２８】
ＣＰＵ２１は、上記のように推測し予測する健康状態や体年齢，体型，肌年齢、特定した改善策、現在の全身画像と予測した全身画像等をＰＣ１１に送信して、そのモニタ１５に表示させる。
【００２９】
図２は、モニタ１５に表示される分析結果画面の一例を示すものである。表示欄３５は、現在の状態を表示するものであり、利用者が入力した主要な基礎情報が表示される。また、この表示欄３５には、基礎情報から分析手段２３で推定して得られる「基礎代謝」，「摂取カロリー」，「肌年齢」，「体年齢」の推定値が表示される。表示欄３６は、指定した期間後（この例では５年後）の予測される状態を表示するものであり、「基礎代謝」，「体重」，「ウエスト」，「ヒップ」，「血圧」，「肌年齢」，「体年齢」として予測手段２５による予測値が表示される。
【００３０】
表示欄３７は、１日に必要なカロリーと、１日で余剰となるカロリーと、その余剰カロリーが継続した場合に、指定した期間後に予測される体重の増加量とを示している。表示欄３８は、指定した期間後の体型が「洋ナシ型」か、「リンゴ型」かを表示し、表示欄３９は、予測画像作成手段２６で作成された現在の３Ｄの全身画像３９ａと予測した３Ｄの全身画像３９ｂとを表示して体型変化を示す。
【００３１】
３Ｄの各全身画像３９ａ，３９ｂは、マウス１４等の操作により拡大や回転が可能であり、見る角度を変化させて体型を確認したり、拡大表示して肌の状態を確認することができる。表示欄４０は、予測手段２５によって予測された指定された期間後の将来の健康状態と、改善策特定手段２４によって特定された改善策とそれによる効果などが表示される。なお、全身画像に代えて、あるいは全身画像とは別に現在と予測された肌画像を表示してもよい。
【００３２】
次に上記構成の作用について図３を参照しながら説明する。利用者は、キーボード１３，マウス１４を操作して、基礎情報、すなわち現在の体の状態に関する情報、生活スタイルに関する情報、及び環境要因に関する情報を入力する。また、デジタルカメラ１６で肌を撮影し、その肌画像をＰＣ１１に取り込む。肌画像としては、身体のどの部位を撮影したものでもよいが、シミやシワ等がわかるような部位、例えば顔の肌を撮影したもの等が好ましい。また、全身や顔等の肌を含むように撮影し、その撮影で得られる画像から例えばサーバ１２側の処理で肌部分を抽出して利用できるようにしてもよい。さらには、キーボード１３，マウス１４を操作して、将来の健康状態等の予測すべき期間を指定する。
【００３３】
基礎情報，予測すべき期間，肌画像が入力されると、それらはＰＣ１１からサーバ１２に送られ、ＣＰＵ２１によって個人データベース２７に登録される。この後に、その登録された基礎情報が読み出され、その基礎情報と状態データベース２８のデータとから利用者の健康状態，体年齢，体型とが分析手段２３によって推定される。また、分析手段２３によって、肌画像から特徴量が求められる。そして、この特徴量に合致ないし最も近い標準特徴量の年齢が肌年齢データベース２９上で特定され、その年齢が利用者の現在の肌年齢として推定される。
【００３４】
なお、肌年齢を加味して体年齢や健康状態を推定してもよい。また、全身画像を入力するようにし、その全身画像から利用者の体型を判断したり、その体型を健康状態の推定に利用してもよい。
【００３５】
上記のようにして健康状態，体年齢，体型，肌年齢が推定されると、その結果が個人データベース２７に登録される。また、推定された健康状態，体年齢，体型とは、基礎情報とともに所定のデータ加工が施されて状態データベース２８に登録され、推定された肌年齢は、特徴量や基礎情報とともに所定のデータ加工が施されて肌年齢データベース２９に登録される。この登録後に各データベース２８，２９では、データの相関性に関するパラメータを更新させる等の学習処理が行われる。このようにデータベースの学習処理を行うことにより、利用者が増加するごとに各データベース２８，２９を用いて推定される健康状態・体年齢・肌年齢の推定精度が向上する。なお、このようなデータベースの学習処理を最後に行うようにしてもよい。
【００３６】
一方、推定された健康状態，体年齢、肌年齢，体型と、基礎情報とに基づいて、利用者の現在の体の状態を理想状態に近づけるために必要な条件が改善策特定手段２４によって判断され、さらにその条件を実現するための具体的な改善策として特定され、その特定された改善策が個人データベース２７に登録される。また、基礎情報として入力された生活スタイル、環境要因下での生活を継続した場合に、現在の利用者の健康状態，体年齢，肌年齢を起点にして、利用者が指定した期間後の健康状態，体年齢，肌年齢が予測手段２５によって予測される。さらには、このように予測された健康状態，体年齢に基づいて、指定期間後の利用者の体型が求められる。そして、このようにして予測された各結果が個人データベース２７に登録される。
【００３７】
上記のように予測がされた後、予測画像作成手段２６により、予測された肌年齢に対応する肌の法線マップが肌年齢データベース２９から読み出されるとともに、予測された体型の体型モデルデータが体型データベース３０から読み出される。そして、これら読み出した法線マップと体型モデルデータとを合成してから、レンダリングを行うことで、予測される利用者の体型と肌状態の３Ｄの全身画像が作成される。同様にして、分析手段２３で推定された現在の体型と肌年齢とに基づいて、利用者の現在の体型と肌状態の３Ｄの全身画像が作成される。これら各全身画像が個人データベース２７に登録される。
【００３８】
以上のようにして推測，予測，改善策の特定，全身画像の作成が行われ、それぞれ個人データベースに登録されて次回にアクセスしたときに参照できるようにする処理が完了すると、今回の推測結果，予測結果，特定された改善策，各全身画像が個人データベース２７から読み出され、ＰＣ１１に送信される。
【００３９】
ＰＣ１１に各結果が送信されることにより、図２に示されるような分析結果画面がモニタ１５に表示される。利用者は、この表示を参照することにより、現在の健康状態、体年齢、肌年齢，体型を知ることができるとともに、これらが将来どのようになるかをも知ることができる。また、改善するために必要なことをも知ることができる。そして、必要に応じてマウス１４の操作で全身画像３９ａあるいは全身画像３９ｂを拡大表示させたり回転させたりすることができるため、現在ないし将来の自己の体型と肌状態を視覚的に認識することができるため、利用者の健康に対する意識を効果的に高めることができる。
【００４０】
図４は、過去の判定結果を表示させるとともに、改善策を実施するとした場合の効果を表示する例を示すものである。なお、以下に説明する他は、最初の実施形態と同様であり、実施的に同じ機能の部材には、同一の符号を付してその説明を省略する。
【００４１】
この例では、最初の実施形態と同様な手順により、基礎情報、肌画像、将来の健康状態等の予測すべき期間を入力する入力処理、利用者の健康状態・体年齢・肌年齢，体型を推定処理、基礎情報や推定結果に基づいて状態データベース２８、肌年齢データベース２９の学習処理を順次に行う。さらに、推定された健康状態，体年齢，肌年齢，体型と、基礎情報とに基づいて、利用者の現在の体の状態を理想状態に近づけるための具体的な改善策を特定する改善策の特定処理を行う。
【００４２】
改善策の特定処理の後には、基礎情報として入力された生活スタイル、環境要因下での生活を継続した場合に、現在の利用者の健康状態，体年齢，肌年齢を起点にして、利用者が指定した期間後の健康状態，体年齢，肌年齢，体型が予測される。また、改善策を全て実施した場合についても、利用者が指定した期間後の健康状態，体年齢，肌年齢，体型を予測する。そして、予測された健康状態，体年齢、肌年齢，体型に基づいた各全身画像と、現在の健康状態，体年齢、肌年齢，体型に基づいた全身画像とを作成して、これらを含む分析結果画面をモニタ１５に表示する。
【００４３】
また、分析結果画面を表示させる際には、ＣＰＵ２１は、個人データベース２７を調べ、今回の利用者の健康状態，体年齢，肌年齢等のデータが登録されているか否かを調べ、データが登録されている場合には、そのデータを読み出して、そのデータについても分析結果画面の内容として表示させる。なお、利用者にＩＤを付与し、利用時にＩＤを入力することで、利用者の特定することができる。
【００４４】
分析結果画面が表示されてから、利用者がキーボード１３，マウス１４を操作して、提示されている改善策のうち実施しようとする改善策を指定すると、その指定した１個あるいは複数の改善策を実施したと仮定した場合の指定した期間後の健康状態，体年齢，肌年齢，体型が予測され、またそれに対応する全身画像が作成され、これらが分析結果画面に表示される。
【００４５】
これによれば、利用者は、改善策を実施した場合についての将来の体年齢・肌年齢・体型等を知ることができ、利用者に効果的に健康に対する意識を高めさせることができる。また、過去のデータを表示することで、現在の体の状態に対する問題点や改善策の実施の有無による影響等を認識させることができる。
【００４６】
図５に示す例では、指定された期間までを一定の期間ごと（この例では１年間ごと）で予測して表示する。この例によれば、例えば予測の期間を５年間と指定すると、現在と、５年後の健康状態，体年齢，肌年齢、全身画像が分析結果画面に表示されるとともに、２年後、３年後、４年後の健康状態，体年齢，肌年齢、全身画像についても分析結果画面に表示される。これにより、利用者が自己の健康状態や体型の変化を時系列に認識することができる。
【００４７】
上記図４、図５に示す各例において、健康状態、例えば肌年齢や体年齢等の年齢を予測する際には、１年経過後の増加値ｋα（歳／年）を算出し、１年ごとに年齢と増加値ｋαとを更新させながら年齢を増加させていく手法をとることができる。「α」は、更新の起点となる健康状態に応じて増減される値であり、通常であれば「１」であるが健康状態が低ければその値が大きくされる。また、「ｋ」は、現在の生活スタイル、環境等を継続した場合に「１」とされ、実施する改善策が増えるほどその値が小さくされ、現状から生活が乱れるほどその値が大きくされる補正係数である。例えば改善策を全て実施することを指定した場合には、０．８αとして計算し、実施改善策の指定数を減らすほど「ｋ」を大きくして計算する。
【００４８】
上記実施形態では、ＰＣとサーバとで構成するシステムを例にしたが、例えばＰＣ上だけでこれら機能を実現することもできる。また、入力手段としては、ＰＣに限るものではなく携帯電話や、専用端末を用いることもできる。
【図面の簡単な説明】
【００４９】
【図１】本発明を実施した健康分析表示システムの構成を示すブロック図である。
【図２】分析結果表示画面の一例を示す説明図である。
【図３】健康分析表示システムによる処理手順を示すフローチャートである。
【図４】過去の判定結果と改善策を実施した場合の効果を表示する例における処理手順を示すフローチャートである。
【図５】一定期間ごとに健康状態の変化予測を示す例における処理手順を示すフローチャートである。
【符号の説明】
【００５０】
１０  健康分析表示システム
１１  パーソナルコンピュータ
１２  サーバ
２３  分析手段
２４  改善策特定手段
２５  予測手段
２６  予測画像作成手段
【図１】
2008242963.tif 000003
【図２】
2008242963.tif 000004
【図３】
2008242963.tif 000005
【図４】
2008242963.tif 000006
【図５】
2008242963.tif 000007